(57)【要約】  ケーシングとケーシングの内部にスライド可能に収容されるスライダとの双方をセラミックス材とすることができるスライド構造体の組立構造を提供する。ケーシング（１）の貫通孔（１４）にて一対のスライダ（２・３）が内方へ収縮するスライド構造体において、一対のスライダ（２・３）は、それぞれ収縮方向に設けられたスライド用溝（２５・３５）を有するとともに、ケーシング（１）は、一対のスライダ（２・３）を収容する貫通孔（１３）と、ケーシング（１）の側面に貫通孔（１３）に連通して開口された取付用窓（１６）とを有する。ストッパ（５）が、取付用窓（１６）からスライダ（１）のスライド用溝（２５・３５）のそれぞれに挿嵌されるとともに、ケーシング（１）の内壁に支持され、一対のスライダ（２・３）のスライド域はスライド用溝（２５・３５）とストッパ（５）とにより規制される。
2009075355.tif 000002
【特許請求の範囲】
【請求項１】
ケーシングの貫通孔にて一対のスライダが内方へ収縮するスライド構造体において、
上記一対のスライダは、それぞれ収縮方向に設けられたスライド用溝を有するとともに、上記ケーシングは、上記一対のスライダを収容する貫通孔と、上記ケーシングの側面に上記貫通孔に連通して開口された取付用窓と、を有してなり、
ストッパが上記取付用窓から上記スライダのスライド用溝のそれぞれに挿嵌されるとともに、上記ケーシングの内壁に支持され、
上記一対のスライダのスライド域は上記スライド用溝と上記ストッパとにより規制されることを特徴とするスライド構造体。
【請求項２】
上記スライダのスライド用溝は、スライド方向と直交する方向の幅が異なり、上記ストッパは上記スライダのスライド用溝にそれぞれ挿入される部分を有する段付きナットからなることを特徴とする、請求項１記載のスライド構造体。
【請求項３】
上記ケーシングは上記ストッパのスライダへの埋込方向と反対側に上記取付用窓が開口していることを特徴とする、請求項２記載のスライド構造体。
【請求項４】
上記ケーシングおよび／または上記スライダはセラミックス材から構成されることを特徴とする請求項１〜３のいずれかに記載のスライド構造体。
【請求項５】
請求項１に記載のスライド構造体を用いたことを特徴とするバンド用中留具。
【請求項６】
請求項１に記載のスライド構造体を用いたことを特徴とするバンド。
【発明の詳細な説明】
【技術分野】
【０００１】
本発明は、バンド用中留具に組込まれるスライド式のロック機構等として使用されるスライド構造体に関する。
【背景技術】
【０００２】
最近、腕時計バンド、ブレスレッド等のバンド状の鎖部材の連結具であるバンド用中留具の材料としてセラミックス材が選択肢として考えられるようになってきている。これは、肌に接触することにより発生するニッケル（Ｎｉ）系金属材によるアレルギーを避けるため、当該中留具の材料としてステンレス、チタン系金属材が採用されるようになったものの、当該ステンレス、チタン系金属材では高級感や機能面で十分な満足を得ることができなかったためである。【０００３】
バンド用中留具に組込まれるスライド式のロック機構であるスライド構造体の材料としてセラミックス材を選択した場合、当該セラミックス材では、ステンレス、チタン系金属材に各種の表面処理を施すよりもはるかに円滑なスライド性能が得られるとともに、傷付き損傷が少なく、かつ耐久性の高い高級感のある光沢性が得られるという利点がある。しかしながら、セラミックス材は成形して焼結した後の後加工が困難であるという特性を有することから、例えば金属材で通常用いられるカシメ等を行なうことができず、セラミックス材を用いたスライド構造体の組立構造に対しては金属材とは異なる改良が要求されることになる。【０００４】
ところで、従来のスライド構造体として、例えば、特許文献１には、バンド用中留具に組み込まれるスライド式のロック機構であって、ケーシングの内部に一対のスライダが積層されてスライド可能に収容されたスライド構造体が記載されている。【０００５】
特許文献１に記載されたスライド構造体は、少なくともケーシングを金属材で形成することを想定したもので、ケーシングを２つの部材に構成し、一方の半部材にスライダを収容して他方の半部材を当接させてカシメ等により結合させる組立構造となっている。
【特許文献１】特開２００４−１８７７５２号公報
【発明の開示】
【発明が解決しようとする課題】
【０００６】
特許文献１に記載されたスライド構造体では、ケーシングがカシメ等により結合させる組立構造となっているが、上述のようにセラミックス材については成形して焼結した後には歪曲させることができないことからカシメ等を行なうことができないため、ケーシング、スライダの双方をセラミックス材とすることはできないという問題がある。【０００７】
本発明は、このような問題点を考慮してなされたもので、カシメ等を必要としない組立構造、すなわちケーシングとケーシングの内部にスライド可能に収容されるスライダとの双方をセラミックス材とすることを可能とする組立構造を備えたスライド構造体およびこれを用いたバンド用中留具ならびにバンドを提供することを目的とする。
【課題を解決するための手段】
【０００８】
前述の課題を解決するため、本発明のスライド構造体は、ケーシングの貫通孔にて一対のスライダが内方へ収縮するスライド構造体において、上記一対のスライダは、それぞれ収縮方向に設けられたスライド用溝を有するとともに、上記ケーシングは、上記一対のスライダを収容する貫通孔と、上記ケーシングの側面に上記貫通孔に連通して開口された取付用窓と、を有してなり、ストッパが上記取付用窓から上記スライダのスライド用溝のそれぞれに挿嵌されるとともに、上記ケーシングの内壁に支持され、上記一対のスライダのスライド域は上記スライド用溝と上記ストッパとにより規制されることを特徴とする。
【発明の効果】
【０００９】
本発明のスライド構造体によれば、ストッパが一対のスライダのスライド用溝のそれぞれに挿嵌され、ストッパがケーシングの内壁に固定的に支持されることによりスライダがケーシングに可動的に支持されるため、カシメ等による結合工程が不要になる。そのため、ケーシングとケーシングの内部にスライド可能に収容されるスライダとの双方をセラミックス材とすることができる。【００１０】
したがって、本発明によれば、カシメ等を必要としない組立構造を備えたスライド構造体およびこれを用いたバンド用中留具ならびにバンド、すなわちケーシングとケーシングの内部にスライド可能に収容されるスライダとの双方をセラミックス材とすることを可能とする組立構造を備えたスライド構造体およびこれを用いたバンド用中留具ならびにバンドを提供することができる。
【図面の簡単な説明】
【００１１】
【図１】本発明のスライド構造体を実施するための最良の形態の例の縦断面図であり、（Ａ）〜（Ｄ）の順に組立工程が示されている。
【図２】図１（Ｂ）に対応する斜視図である。
【図３】図１（Ｄ）に対応する斜視図である。
【図４】図１の組立完了状態の横断面図であり、（Ａ）、（Ｂ）に異なる動作状態が示されている。
【図５】図４の中央縦断面図である。
【図６】本発明のスライド構造体を実施するための最良の形態の適用例を示す斜視図であり、（Ａ）〜（Ｃ）に適用例の各動作が示されている。
【符号の説明】
【００１２】
１  ケーシング
１３  貫通孔
１４  収容用窓
１６  取付用窓
１７  支持穴
２、３  スライダ
２５、３５  スライド用溝
４  コイルスプリング
５  ストッパ
６  取付ネジ
【発明を実施するための最良の形態】
【００１３】
以下、本発明のスライド構造体を実施するための最良の形態の例を図面に基づいて説明する。【００１４】
この形態の例では、スライド式のロック機構であるスライド構造体を用いたバンド用中留具の一例を示してある。【００１５】
バンド用中留具は、ベース板Ａ、折畳板Ｂ，Ｃ、ロック受体Ｄ、ロック体Ｅおよび補助ロック機構Ｇからなる。なお、図６において、ロック受体Ｄおよびロック体Ｅは、バンド用中留具の動作を明確にすべく鎖部材Ｆに連結した状態を示している。
当該バンド用中留具は、図６に示すように、折畳板Ｂ，Ｃを折畳み、そして展開することにより開閉されるもので（観音開き（両開き））、湾曲したベース板Ａの両端部にそれぞれ湾曲した折畳板Ｂ、Ｃが回動可能に連結されている。一方の折畳板Ｂには、ロック機構の半部となるロック受体Ｄを介して鎖部材Ｆが連結されている。他方の折畳板Ｃには、ロック機構の他の半部であって本発明のスライド構造体となるロック体Ｅを介して鎖部材Ｆが連結されている。なお、一方の折畳板Ｂのベース板Ａへの連結部付近には、小球の形のボールをコイルスプリングでベース板Ａの受溝に押圧して、一方の折畳板Ｂをベース板Ａに仮止めする補助ロック機構Ｇが設けられている。【００１６】
そして、スライド式ロック機構の半部であるロック体Ｅ、即ち本発明のスライド構造体は、図１〜図５に示すように、ケーシング１，一対のスライダ２，３，コイルスプリング４，ストッパ５，取付ネジ６を備える。【００１７】
ケーシング１は、セラミックス材を成形して焼結することにより箱筒形に形成されている。１つの側面には、鎖部材Ｆへの連結のための側部軸受１１が突出して設けられている。底面には、折畳板Ｃへの連結のための底部軸受１２が突出して設けられている。そして、ケーシング１の中央付近には側部軸受１１と略平行となるように貫通孔１３が形成され、側部軸受１１と直交する対向面には、積層された一対のスライダ２，３を収容するための収容用窓１４が開口している。側部軸受１１と対面する側面の底面寄りの一部とこれに連続する底面の一部とには、ロック受体Ｄを受け入れるためのロック用窓１５が開口されている。底面の中央部付近には、外部から取付ネジ６を侵入させるための取付用窓１６が開口されている。ここで、取付用窓１６は、ケーシング１において、ストッパ５のスライダ２、３への埋込方向と反対側に開口していることが好ましい。これにより、取付用窓１６は、ストッパ５のスライダ２、３への埋込方向と反対側に開口しており、ストッパ５を取付けやすいところに設けられているので、ストッパ５の取付けが容易となる。
なお、ロック用窓１５，取付用窓１６は、側面、底面の一部が方形に切り欠かれることにより、連続して形成されている（図３，図５参照）。貫通孔１３の取付用窓１６に対向する壁面には、取付ネジ６の先端部が係止される支持穴１７が設けられている。【００１８】
スライダ２，３は、セラミックス材を成形して焼結することによりコ字形に近似した板状に形成されている。コ字形の一方の小形の突片部２１，３１には、ロック受体Ｄのロック穴に係合、離脱されるロックピン２２，３２が取り付けられている。コ字形の他方の大形の突片部２３，３３は、円弧板形に形成されてケーシング１の収容用窓１４から一部が突出する操作ボタンとなっている。突片部２１，２３，３１，３３の反対側の側面には、コイルスプリング４を弾力で圧を加えて係止させるための係止部２４，３４が設けられている。【００１９】
これらのスライダ２，３は、ロックピン２２，３２が相対するように、積層され、一対のスライダ２、３は、この状態でケーシング１の収容用窓１４から貫通孔１３に収容されるような大きさ、および形状を有する。【００２０】
一方のスライダ２は、ほぼ中央付近に突片部２１から突片部２３に向かう方向に貫通形成された長孔形（小判形）スライド用溝２５を有する。また、他方のスライダ３は、ほぼ中央付近に突片部３１から突片部３３に向かう方向（スライド方向となる）に貫通形成された長孔形（小判形）スライド用溝３５を有する。一方のスライダ２のスライド用溝２５は、スライド方向に直交する方向の幅ａが他方のスライダ３のスライド用溝３５のスライド方向に直交する方向の幅ｂよりも大きくなっている（図４参照）。これにより、両スライダ２、３のスライド用溝２５、３５に挿入されて埋め込まれたストッパ５が、幅の狭いスライド用溝３５が設けられたスライダ３に抜け止めされ、ケーシング１の収容用窓１４から内部へスライダ２、３、ストッパ５を収容する際にストッパ５の脱落を防止することができる。【００２１】
コイルスプリング４は、金属線材が巻回されたもので、スライダ２，３の係止部２４，３４の間に弾力で圧を加えて係止され、スライダ２，３を離間させるように（ロックピン２２，３２を接近させるように）弾力で圧を加えて付勢する。【００２２】
ストッパ５は、一方のスライダ２のスライド用溝２５に挿入される大径部分５１と、他方のスライダ３のスライド用溝３５に挿入される小径部分５２と、大径部分５１、小径部分５２の中心を貫通しているネジ部５３とを備えた段付きナットからなる。大径部分５１は、スライド方向の長さが一方のスライダ２のスライド用溝２５のスライド方向の長さよりも短く、スライド方向と直交する方向の長さが一方のスライダ２のスライド用溝２５のスライド方向と直交する方向の長さと一致している。小径部分５２は、スライド方向の長さが他の方向のスライダ３のスライド用溝３５のスライド方向の長さよりも短く、スライド方向と直交する方向の長さが他方のスライダ３のスライド用溝３５のスライド方向と直交する方向の長さと一致している。大径部分５１、小径部分５２の合計の軸長は、スライダ２，３のスライド用溝２５，３５に挿入されて埋め込まれる長さに設定されている（図１（Ｂ）、（Ｃ）参照）。【００２３】
取付ネジ６は、ドライバ等の工具が係合する溝が刻設された頭部６１と、頭部６１に連続してストッパ５のネジ部５３に螺合するネジ部６２と、ネジ部６２に連続する嵌合部６３と、を有してなり、ドライバ等で頭部６１を回転させると、ネジ部６２はストッパ５のネジ部５３に螺合され、嵌合部６３はケーシング１の支持穴１７に嵌合される。【００２４】
この形態の組立工程は、まず、図１（Ａ），（Ｂ），図２に示すように、スライダ２，３を積層してから、スライダ２，３のスライド用溝２５，３５にストッパ５を挿入して埋め込み、スライダ２，３の係止部２４，３４の間にコイルスプリング４を弾力で圧を加えて装着することにより行なう。続いて、図１（Ｃ）に示すように、ストッパ５が埋め込まれてコイルスプリング４が装着されたスライダ２，３をケーシング１の収容用窓１４から貫通孔１３に収容する。この後、図１（Ｄ），図３に示すように、ケーシング１の取付用窓１６から取付ネジ６を侵入させてストッパ５のネジ部５３に螺合させ、取付ネジ６の嵌合部６３をケーシング１の支持穴１７に嵌合させる。【００２５】
この結果、ストッパ５がケーシング１の内壁に固定的に支持され、スライダ２，３がストッパ５を介してケーシング１に可動的に支持されて、組立が完成する。スライダ２，３のスライド域は、ストッパ５とスライダ２，３のスライド用溝２５，３５とによって規制されることになる。【００２６】
したがって、この形態の組立工程では、カシメ等による結合工程が不要になるため、ケーシング１とケーシング１の内部にスライド可能に収容されるスライダ２，３との双方をセラミックス材とすることに何の支障もなくなる。そして、ケーシング１，スライダ２，３をセラミックス材とすることで、ステンレスあるいはチタン系の金属材に各種の表面処理を施すよりもはるかに円滑なスライド性能が得られるとともに、傷付き損傷が少なく、かつ耐久性の高い高級感のある光沢性が得られるという利点を得ることができる。特に、ケーシング１の表面に何等の凹凸部も設けられていないため、外観体裁が極めて良好になる。【００２７】
なお、図１（Ｃ）に示すように、両スライダ２，３のスライド用溝２５，３５に挿入されて埋め込まれたストッパ５が、幅の狭いスライド用溝３５が設けられたスライダ３に抜止めされることとなる。また、スライダ２，３の係止部２４，３４の間に装着されたコイルスプリング４が弾力で圧を加えて保持される。したがって、ケーシング１の収容用窓１４から貫通孔１３へのスライダ２，３，ストッパ５，コイルスプリング４の収容の際に、ストッパ５，コイルスプリング４の脱落を防止することができるため、ケーシング１へのスライダ２，３，ストッパ５，コイルスプリング４の収容作業が容易になる。【００２８】
また、図１（Ｄ），図３に示すように、ストッパ５がスライダ２，３に抜止めされケーシング１の取付用窓１６から脱落しない状態でストッパ５に取付ネジ６を螺合させることができる。したがって、取付ネジ６のストッパ５への螺合作業が容易になる。【００２９】
以上、図示した形態の他に、ケーシング１の取付用窓１６をロック用窓１５から独立した小孔形とすることも可能である。【００３０】
また、本発明のバンド用中留具は、スライド式のロック機構の半部であるロック体Ｅ、即ちスライド構造体を構成するスライダをセラミックス材で形成することができるので、円滑なスライド性能を得ることができる。さらに、ロック受体Ｄをセラミックス材で形成することにより、ロックやロック解除の繰り返しによっても傷付き損傷の少ない耐久性の高いバンド用中留具とすることができる。【００３１】
また、本発明のバンドは、腕時計やブレスレッド等に用いられるものであり、例えば、腕時計のムーブメント（駆動機構）を収容するケースまで、ピンで連結された複数の鎖部材Ｆが図６に示すバンド用中留具の両端のそれぞれにロック受体Ｄやロック体Ｅを介して連結されたものや、上述した構成から湾曲したベース板Ａや折畳板Ｂ，Ｃを除いた構成、即ち、ピンで連結された複数の鎖部材Ｆの一方にロック受体Ｄが連結され、他方にロック体Ｅが連結されて、ロック受体Ｄをロック体Ｅに収容することにより、鎖部材Ｆを環状に連結したものである。
本発明のバンドによれば、ロック機構であるスライド構造体を構成するスライダをセラミックス材で形成することができるので、円滑なスライド性能が得られるとともに、傷付き損傷の少ない耐久性の高いバンドとすることができる。また、ケーシングもセラミックス材で形成することができるので、外観に高級感があり光沢性のあるバンドとすることができる。
【産業上の利用可能性】
【００３２】
本発明のスライド構造体は、バンド用中留具に組み込まれるスライド式のロック機構の他に、各種のスライド式の精密部品等のセラミック化に対応することが可能である。
【図１】
2009075355.tif 000003
【図２】
2009075355.tif 000004
【図３】
2009075355.tif 000005
【図４】
2009075355.tif 000006
【図５】
2009075355.tif 000007
【図６】
2009075355.tif 000008
【国際調査報告】
2009075355.tif 000009
2009075355.tif 000010